(57)【要約】【課題】インターネット回線を通じたプリント注文において、ユーザがプリント注文内容の変更をプリント作成処理の開始直前まで行うことができるプリントサービスシステムおよびプリント処理方法を提供する。【解決手段】プリント処理装置が、受注端末から画像データおよび注文情報を受け取った後、そのプリント作成処理が開始可能となる段階で、発注確認端末にプリント作成指示を要求し、その要求に応じて送信されたプリント作成指示を受け取ることにより、プリント作成処理を開始することで、上記課題を解決する。【選択図】図２
2007293468.tif 000002
【特許請求の範囲】
【請求項１】
画像データおよび注文情報を送信する発注端末と、
前記発注端末から送信された前記画像データおよび注文情報を受信する受注端末と、
プリント作成指示を送信する発注確認端末と、
前記受注端末が受信した前記画像データおよび前記注文情報に基づいてプリント作成処理を行うプリント処理装置とを有し、
前記プリント処理装置は、前記受注端末から前記画像データおよび前記注文情報を受け取った後、そのプリント作成処理が開始可能となる段階で、前記発注確認端末にプリント作成指示を要求し、その要求に応じて送信されたプリント作成指示を受け取ることにより、前記プリント作成処理を開始することを特徴とするプリントサービスシステム。
【請求項２】
前記発注端末は、前記画像データとして暗号化画像データを前記受注端末へ送信し、
前記発注確認端末は、前記プリント作成指示とともに、前記発注端末から得た前記暗号化画像データの暗号化キーを前記プリント処理装置へ送信し、
前記プリント処理装置は、前記発注確認端末から受け取った前記暗号化画像データの暗号化キーにより前記暗号化画像データを復号化し、復号化した前記画像データに基づいてプリント作成処理を行うことを特徴とする請求項１に記載のプリントサービスシステム。
【請求項３】
前記発注端末は、前記注文情報として暗号化注文情報を前記受注端末へ送信し、
前記発注確認端末は、前記プリント作成指示とともに、前記発注端末から得た前記暗号化注文情報の暗号化キーを前記プリント処理装置へ送信し、
前記プリント処理装置は、前記発注確認端末から受け取った前記暗号化注文情報の暗号化キーにより前記注文情報を復号化し、復号化した前記注文情報に基づいてプリント作成処理を行うことを特徴とする請求項１または２に記載のプリントサービスシステム。
【請求項４】
画像データおよび注文情報を受信し、
受信した前記注文情報に応じたプリント作成処理が開始可能となる段階で、プリント作成指示を発注者に要求し、
前記要求に応じて送信されたプリント作成指示を受け取ると、前記画像データおよび前記注文情報に基づいてプリント作成処理を行うプリント処理方法。
【請求項５】
前記画像データとして、発注者によって暗号化された暗号化画像データを受信し、
前記プリント作成指示とともに前記暗号化画像データの暗号化キーを要求し、
前記要求に応じて送信された前記暗号化画像データの暗号化キーを用いて前記暗号化画像データを復号化し、復号化した前記画像データに基づいてプリント作成処理を行う請求項４に記載のプリント処理方法。
【請求項６】
前記注文情報として、発注者によって暗号化された暗号化注文情報を受信し、
前記プリント作成指示とともに前記注文情報の暗号化キーを要求し、
前記要求に応じて送信された前記暗号化注文情報の暗号化キーを用いて前記暗号化注文情報を復号化し、復号化した前記注文情報に基づいてプリント作成処理を行う請求項４または５に記載のプリント処理方法。
【発明の詳細な説明】
【技術分野】
【０００１】
本発明は、画像データに基づいて写真プリントやその他の物品に画像を再生した製品を作製するプリントサービスシステムおよびプリント処理方法の技術分野に属し、特に、有線または無線通信によって注文を受け付けるプリントサービスシステムおよびプリント処理方法に関する。
【背景技術】
【０００２】
近年、デジタルカメラやカメラ付携帯電話や高速通信回線の普及により、撮影した画像を受付店に持ち込んで写真プリント（以下、単にプリントという。）の注文をするだけでなく、撮影した画像の画像データを自宅などのパソコンからインターネット回線を通じてプリントサービス業者等へ転送しプリント注文する人が増えている。インターネット回線によるプリント注文には、２４時間いつでも注文ができること、店舗に受け取りに行く必要が無いことなど、これまでの受付店によるプリント注文には無い利点がある。
【０００３】
このようなインターネット回線を通じたプリント注文について、注文送信後少し時間が経ってからキャンセルを行いたい場合や、日付プリントの指定を忘れた場合など、注文内容の修正を行いたい場合がある。
しかし、ユーザが送信したプリント注文のデータは受付店やラボ店を経由するため、プリント注文を送信してから実際にプリント作成処理が開始されるまでにはある程度の時間の余裕があるが、従来のシステムでは、プリント注文が確定され注文データが送信された後は、自動的にまたはプリントサービス業者のタイミングによって処理が行われており、ユーザの操作による注文内容の修正やキャンセルは困難である。
【０００４】
例えば、特許文献１には、プリント注文データの送信後所定の時間が経過すると、プリントが行われてしまい、キャンセルできなくなることに対し、キャンセルできる期間を時間で区切り、例えばプリント注文データ送信から１時間以内はキャンセル可能とすることが記載されている。また、別の例として、プリント注文サーバが、入力されているプリント注文処理のリストを基にプリント注文をキャンセルできるタイミングを判断し、キャンセル可能なときにはユーザが操作可能なキャンセルボタンを注文サイトの画面上に表示することが開示されている。
【０００５】
特許文献１の方法によれば、注文送信後の所定期間内に注文をキャンセルすることができる。しかし、キャンセルが可能な期間は、プリントサービス業者によって設定された一定の期間、または、プリントサービス業者における他の注文の処理状況等に応じて定められる期間であり、ユーザが変更することはできない。また、後者の形態では、ユーザが注文サイトにアクセスした場合に限り、その時点でのキャンセルが可能か否かが分かるに過ぎず、それ以外はいつまでキャンセルが可能かを知ることはできない。
そのため、注文送信後少し時間が経ってからキャンセルを行いたい場合や日付プリントの指定を忘れたなどの注文内容の修正をプリントの直前まで行いたいという要望に対する問題点は解決に至っていない。
【０００６】
ところで、プリント注文のために画像データをインターネット送信する場合、画像が第三者に見られる危険性もある。これに対して特許文献２には、プライバシーを保護する目的で、画像データを暗号化してプリント注文を行うプリント発注方法が開示されている。このプリント発注方法では、プリント仕上げ業者（受注者）がユーザ登録の際に各ユーザ（発注者）毎に暗号化キーを設定するか、ユーザが自己の装置において暗号化キーを予め設定し、その暗号化キーデータをフィルムカートリッジ等に書き込んで受け渡しすることにより、プリント仕上げ業者とユーザとの間で暗号化キーを共有して、両者においてのみ、暗号化した画像データの復号化を可能にしている。そして、プリント注文があったときは、プリント仕上げ業者が、ワークステーションのメモリに記憶された暗号化キーを読み出して、画像データを復号化してプリント作成を行う。
【０００７】
しかし、特許文献２の方法では、暗号化キーをプリント仕上げ業者に預けてしまうため、プリント注文前の自己の画像についてプライバシーが守られていると常に確信できるものではない。
【０００８】
【特許文献１】特開２００２−３６６８１０号公報
【特許文献２】特開平１０−２６９２８６号公報
【発明の開示】
【発明が解決しようとする課題】
【０００９】
本発明の目的は、上記従来技術の問題点を解消し、インターネット回線を通じたプリント注文において、ユーザがプリント注文内容の変更をプリント作成処理の開始直前まで行うことができるプリントサービスシステムおよびプリント処理方法を提供することにある。
また、本発明のさらなる目的は、上記に加え、プリント注文が実行されていない画像データまたは注文情報に関するプライバシーを保護し、かつ、それらが適切に保護されていることをユーザが確信できる、信頼性の高いプリントサービスシステムおよびプリント処理方法を提供することにある。
【課題を解決するための手段】
【００１０】
上記課題を解決するために、本発明は、画像データおよび注文情報を送信する発注端末と、
前記発注端末から送信された前記画像データおよび注文情報を受信する受注端末と、
プリント作成指示を送信する発注確認端末と、
前記受注端末が受信した前記画像データおよび前記注文情報に基づいてプリント作成処理を行うプリント処理装置とを有し、
前記プリント処理装置は、前記受注端末から前記画像データおよび前記注文情報を受け取った後、そのプリント作成処理が開始可能となる段階で、前記発注確認端末にプリント作成指示を要求し、その要求に応じて送信されたプリント作成指示を受け取ることにより、前記プリント作成処理を開始することを特徴とするプリントサービスシステムを提供する。
【００１１】
ここで、前記発注端末は、前記画像データとして暗号化画像データを前記受注端末へ送信し、
前記発注確認端末は、前記プリント作成指示とともに、前記発注端末から得た前記暗号化画像データの暗号化キーを前記プリント処理装置へ送信し、
前記プリント処理装置は、前記発注確認端末から受け取った前記暗号化画像データの暗号化キーにより前記暗号化画像データを復号化し、復号化した前記画像データに基づいてプリント作成処理を行うのが好ましい。
【００１２】
また、前記発注端末は、前記注文情報として暗号化注文情報を前記受注端末へ送信し、
前記発注確認端末は、前記プリント作成指示とともに、前記発注端末から得た前記暗号化注文情報の暗号化キーを前記プリント処理装置へ送信し、
前記プリント処理装置は、前記発注確認端末から受け取った前記暗号化注文情報の暗号化キーにより前記注文情報を復号化し、復号化した前記注文情報に基づいてプリント作成処理を行うのが好ましい。
【００１３】
また、本発明は、画像データおよび注文情報を受信し、
受信した前記注文情報に応じたプリント作成処理が開始可能となる段階で、プリント作成指示を発注者に要求し、
前記要求に応じて送信されたプリント作成指示を受け取ると、前記画像データおよび前記注文情報に基づいてプリント作成処理を行うプリント処理方法を提供する。
【００１４】
ここで、前記画像データとして、発注者によって暗号化された暗号化画像データを受信し、
前記プリント作成指示とともに前記暗号化画像データの暗号化キーを要求し、
前記要求に応じて送信された前記暗号化画像データの暗号化キーを用いて前記暗号化画像データを復号化し、復号化した前記画像データに基づいてプリント作成処理を行うのが好ましい。
【００１５】
また、前記注文情報として、発注者によって暗号化された暗号化注文情報を受信し、
前記プリント作成指示とともに前記注文情報の暗号化キーを要求し、
前記要求に応じて送信された前記暗号化注文情報の暗号化キーを用いて前記暗号化注文情報を復号化し、復号化した前記注文情報に基づいてプリント作成処理を行うのが好ましい。
【発明の効果】
【００１６】
本発明によれば、インターネット回線を通じたプリント注文において、ユーザによる最終確認後の指示に応じて実際のプリント作成処理が開始されるので、ユーザがプリント注文内容の変更をプリント作成処理の開始直前まで行うことができ、また、ユーザの都合でプリント作成処理の実行を指示することができる。
また、本発明の一態様によれば、ユーザによる最終確認後のプリント指示の際に、暗号化した画像データの暗号化キーまたは暗号化した注文情報の暗号化キーが送信されるので、プリント作成処理が実行される直前まで、画像データまたは注文情報に関するプライバシーを保護できるとともに、それらが確実に保護されていることをユーザが確信でき、高い信頼性を得られる。
【発明を実施するための最良の形態】
【００１７】
本発明に係るプリントサービスシステムおよびプリント処理方法を添付の図面に示す好適実施例に基づいて以下に詳細に説明する。
【００１８】
図１は、本発明のプリント処理方法を実施する本発明のプリントサービスシステムの第１実施形態の構成概念図である。同図に示すプリントサービスシステム１０は、発注端末として機能するパソコン１２と、プリント注文専用の注文受付機１４と、受注端末１６と、発注確認端末として機能する携帯電話１８およびデジタルテレビ２０と、プリント処理装置２２とを備えており、これらの各機器が通信回線２４によって有線または無線で通信可能とされている。
【００１９】
プリントサービスシステム１０は、デジタルの画像データを用いて写真プリント（以下、単にプリントという。）の注文を行うシステムである。プリント注文の対象となる画像データは、デジタルカメラやカメラ付携帯電話等の撮像機器によって取得されたものであってもよいし、写真フィルム等に撮影された画像を読み取って得られたものであってもよい。これらの画像データは、通常、機器内部のメモリや記録メディアに記録されている。
【００２０】
パソコン１２は、ユーザ（発注者）が家庭等で使用する通常のパーソナルコンピュータであり、インターネット（通信回線２４）に接続されている。ユーザは、パソコン１２によってプリントサービス業者（受注者）のサイトにアクセスし、プリント注文したい画像を記録メディアまたは撮像機器のメモリから読み出して指定し、プリント注文のページに注文の内容を入力することにより、プリント注文を行うことができる。プリント注文の内容には、画像の指定、並びに、各画像のプリント枚数、日付プリントの有無、画像加工の有無およびプリントサイズなどの各画像についての注文情報が含まれる。
なお、プリントサービスシステム１０の発注端末としては、パソコン１２以外にも画像データおよび注文情報を送信できるものであれば各種の装置を用いることができる。
【００２１】
受注端末１６は、プリントサービス業者に属するもので、例えばプリント注文の受付店やラボに配置され、インターネット上のプリントサービス業者のホームページ（プリント注文受付サイト）を管理する。受注端末１６は、インターネットを介してされたパソコン１２からのプリント注文の受付処理を行う。
すなわち、受注端末１６は、受信した画像データおよび注文情報を受け付けた旨、およびその注文を確定してよいかの確認（問い合わせ）を、その注文を発注したパソコン１２が接続しているプリント注文ページに表示する。そして、パソコン１２によって注文確認および確定が入力されると、受注端末１６は、先に受信した画像データおよび注文情報をプリント処理装置２２へ転送する。
【００２２】
注文受付機１４は、発注端末（パソコン１２）および受注端末１６の両方の機能を有するものであって、各種店舗等の店頭や店内に設置された、プリントサービス業者がユーザの使用のために用意したプリント注文専用の装置である。注文受付機１４は、各種の記録メディアから画像データを読み出すメディアドライブ、注文画面や読み出した画像データを表示するディスプレイ、および注文内容を入力する操作手段を有している。
【００２３】
ユーザは、プリント注文したい画像が記録された記録メディアを注文受付機１４のメディアドライブに挿入し、注文画面を確認しながら注文内容（画像の指定、プリント枚数、プリントサイズ等）を入力することにより、プリント注文を行うことができる。
注文受付機１４は、プリント注文の入力がされると、そのディスプレイに、画像データおよび注文情報を受け付けた旨、およびその注文を確定してよいかの確認（問い合わせ）を表示する。そして、注文受付機１４は、注文確認および確定が入力されると、画像データおよび注文情報をプリント処理装置２２へ転送する。
【００２４】
プリント処理装置２２は、プリントサービス業者のラボに設置されており、画像データおよび注文情報を受信して、それらに基づいて注文されたプリントの作成処理を行うものである。プリント処理装置２２は、画像処理等を行う画像処理装置とプリンタとを有している。また、好ましい形態として、プリント処理装置２２は、作成したプリントを注文毎に包装してプリントパックとして排出するパッカーを有している。プリント処理装置２２の具体的実施形態の例については後に詳述する。
【００２５】
プリント処理装置２２は、画像データおよび注文情報を受信し、プリント作成処理が開始可能となる段階で、ユーザに対してプリント作成処理の最終指示を要求する。この要求は、プリント注文時にユーザが指定した発注確認端末（携帯電話１８、デジタルテレビ２０またはパソコン１２）に送信される。
プリント処理装置２２は、携帯電話１８、デジタルテレビ２０またはパソコン１２からのプリント注文の最終指示を受信すると、それにより、実際のプリント作成処理を開始する。
【００２６】
ここで、プリント作成処理が開始可能となる段階とは、プリント処理装置２２を有するラボのシステム構成において、プリント作成データに変更を加えられる最後の段階とすればよい。
例えば、ラボに複数台のプリント処理装置２２が備えられており、複数種類のプリントサイズに同時に対応可能な場合や、プリント注文として限られたサイズのプリントのみを受け付けることとしている場合等、ペーパーの交換が不要な場合には、プリント処理の実行が可能となったとき、またはその所定時間前に、ユーザに最終指示を要求し、指示を受けたものから順にプリント処理を実行する。
また、例えば、プリント処理装置２２の台数が限られている場合で、プリントサイズによってはペーパーの交換が必要であって、プリント処理装置２２において、複数の注文を処理効率の良い順序に並べ替える処理（生産計画）を行う場合には、プリント処理装置２２がプリント注文のデータを受信した段階でユーザに最終指示を要求し、所定の時間内に指示を受けたものについて処理順序を設定して、その計画に順じてプリント処理を実行する。
【００２７】
発注確認端末としては、携帯電話１８、デジタルテレビ２０、その他の無線または有線での情報通信が可能な機器が用いられる。例えば、携帯電話１８は、メール機能によって、プリント処理装置２２からの指示要求を受信し、それに対する指示を送信する。また、デジタルテレビ２０は、デジタルテレビ放送を受信可能なテレビであり、双方向通信機能によって、プリント処理装置２２からの指示情報を受信し、リモコンの操作によってそれに対する指示を送信する。また、発注確認端末としてパソコン１２を用いてもよい。
ユーザの選択により、ユーザが日常頻繁に用いる機器を発注確認端末として用いることで、プリント処理装置２２からの最終指示要求があったことをユーザがすぐに知ることができる。
【００２８】
携帯電話１８等の発注確認端末に最終指示の要求がされることにより、ユーザは、その時点で、自分が行ったプリント注文について、注文内容の変更があればその内容を入力することができ、プリント作成の直前に注文内容の最終確認を行って、実行指示を出すことができる。
【００２９】
次に、図２を参照して、プリントサービスシステム１０におけるプリント処理方法について説明する。図２は、プリント処理フローを示している。図２の例では、受注端末１６がプリント注文の受付店に、プリント処理装置２２がラボに配置されている形態について説明するが、本発明において、受注端末１６およびプリント処理装置２２は、受注者（プリントサービス業者）に属していればよく、具体的な配置場所は同一であっても異なっていてもよい。
【００３０】
プリント注文時には、まず、ユーザによって、家庭等のパソコン１２においてプリント注文する画像が選択される（ステップＳ１１）。画像の選択は、プリント注文サイトにおける画像選択の要求に応じて行われてもよいし、事前にデジタルカメラにおいてＤＰＯＦ機能等を利用して行われていてもよい。
【００３１】
次に、選択された各画像に対して、注文枚数、日付プリントの有無、画像加工の有無、プリントサイズなどの注文情報が入力される（ステップＳ１２）。注文情報の入力も、事前にＤＰＯＦ機能等を利用して行われていてもよい。選択された全ての画像について注文情報が入力されていないときは、入力終了の判断（ステップＳ１３）でＮｏの判断がされてステップＳ１２に戻り、次の画像についての注文情報の入力が行われる。選択された全ての画像について注文情報が入力されると、入力終了の判断（ステップＳ１３）でＹｅｓの判断がされて入力を終了する。
続いて、選択された画像の画像データと注文情報とが、ユーザ（発注者）側のパソコン１２からプリントサービス業者（受注者）の受付店の受注端末１６へ送信される（ステップＳ１４）。
【００３２】
受付店（受注端末１６）は、ユーザ（発注者）からの画像データおよび注文情報を受信することでプリント注文を受け付けると（ステップＳ１５）、ユーザに対して注文確認画面を表示し、注文情報に間違いが無いかの確認を促す（ステップＳ１６）。具体的には、受注端末１６は、ユーザがパソコン１２からアクセスしているプリント注文ページを介して、パソコン１２のディスプレイに注文内容を記載した注文確認画面を表示させる。ここでのプリント注文内容の表示は、受注端末１６に送信された情報を再度パソコン１２に送信するのではなく、受注端末１６に送信された情報と対応する、パソコン１２において一時的に保存されている情報を用いて行われる。
【００３３】
パソコン１２は、注文確認を受け付けて注文確認画面を表示する（ステップＳ１７）。ユーザは、注文確認画面に記載された内容を確認し、変更がなければ画面上の注文確認ボタンをクリックするなどにより、注文確認信号を受付店（受注端末１６）へ送信する（ステップＳ１８）。入力された注文内容に変更がある場合には、ユーザによって情報の修正が行われる。すなわち、上記ステップＳ１１またはＳ１２に戻り、以後ステップＳ１８までの各工程が再度実行される。
【００３４】
なお、画像データおよび注文情報のユーザ（パソコン１２）から受付店（受注端末１６）への送信は、ステップＳ１４において行うのではなく、プリント注文が入力された旨をパソコン１２から受注端末１６へ通知し、ステップＳ１６〜Ｓ１８による注文確認が行われ、注文が確定した時点で行うようにしてもよい。
【００３５】
プリント注文が確定すると、受付店は、画像データと注文情報とをラボのプリント処理装置２２に送信する（ステップＳ１９）。
ラボでは、プリント処理装置２２が受付店からの画像データと注文情報とを受け取ると（ステップＳ２０）、その注文に対する処理が開始可能となったとき、またはその見込みが立ったときに、すなわちプリント処理開始直前に、受け付けた画像のプリント処理を実行してよいか否かの最終的な確認をユーザに促す。すなわち、プリント注文受付時に指定された送信先である携帯電話１８、デジタルテレビ２０またはパソコン１２（以下、携帯電話１８等という。）へプリント指示確認を送信する（ステップＳ２１）。
【００３６】
ここで、プリント指示確認のためにラボからユーザへ送信される情報は、注文情報のうち、プライバシーレベルが比較的低く、注文の識別に必要な最小限の情報とすればよい。例えば、注文受付時に受注端末１６で発行された注文受付番号、注文年月日、注文合計枚数、配送先の概要（自宅、勤務先の別など）または商品の受け取り店名などの情報を用いるのが好ましい。
【００３７】
ユーザの携帯電話１８等は、プリント指示確認を受け付けると（ステップＳ２２）、その内容および注文に変更が無いかの問い合わせを携帯電話１８等の画面に表示する。
ユーザは、表示されたプリント注文について再度確認し、キャンセルや変更がある場合には、携帯電話１８等から注文情報を再入力する。注文の内容に変更が無く、プリント処理を開始してよい場合には、その旨の指示を入力する。注文内容の変更の例としては、各画像のプリント枚数（全画像２枚ずつなど）、日付プリントの有無など、全選択画像に共通の情報が挙げられる。
なお、基本的には、この最終確認用の画面には画像は表示されないが、ユーザが、画像を見ずに、例えば画像の識別番号等により、各画像を識別できる場合には、携帯電話１８等に注文された画像の識別番号等を注文内容として表示させ、個々の画像のプリント枚数やサイズの変更を可能としてもよい。注文を行ったパソコン１２に確認用画面を表示する場合であって、パソコン１２に注文時の画像データが残っている場合には、注文画像を表示することも可能である。
【００３８】
携帯電話１８等は、注文のキャンセルや変更についての入力があったときは、注文変更の有無の判断（ステップＳ２３）をＮｏ（変更あり）として、変更される注文情報の入力を受け付ける（ステップＳ２４）。一方、プリント処理開始の入力があったときは、注文変更の有無の判断（ステップＳ２３）をＹｅｓ（変更なし）として、プリント指示の信号および変更があったときは変更された内容をラボに送信する（ステップＳ２５）。
【００３９】
ラボのプリント処理装置２２は、送信されてきたプリント指示の信号および変更の情報を受信し、先に受信して保管している画像データおよび注文情報と、注文情報に変更があったときはその変更の情報に基づいて、プリント処理装置２２において画像のプリント処理を実行する（ステップＳ２６）。
プリント処理が行われた画像データは、逐次または所定のタイミングで自動的に消去される。あるいは、オペレータによって適宜削除されるようにしてもよい。
【００４０】
上記のようにして作成されたプリントは、注文情報として入力されたユーザの指定住所へ発送されるか、ユーザが受け取りに来る店舗へ発送される。
なお、画像を再生した製品は、通常の写真プリント以外にも、ポストカードやカレンダーなどの、他の画像と合成してプリントした商品であってもよいし、Ｔシャツやマグカップやシールなどのプリント用紙以外の物品に画像を再生した商品であってもよい。
【００４１】
このように、本発明のプリントサービスシステム１０によれば、プリント処理開始直前にユーザに対してプリント指示を要求し、注文内容の最終確認を行うため、ユーザのプリント直前で注文をキャンセルまたは変更したいという要望にも対応可能である。
また、本発明のプリントサービスシステム１０によれば、プリント注文を発注した後でも、ユーザがプリント指示を送らなければ実際のプリント作成処理が実行されないため、ユーザのペースでプリント実行指示を出すことが可能である。
【００４２】
次に、本発明の第２実施形態について説明する。
第２実施形態が上述の第１実施形態と異なる主な点は、発注端末であるパソコン１２および注文受付機１４が画像データの暗号化手段を有し、プリント注文がされた画像データを暗号化手段によって暗号化して受注端末１６へ送信する点、および、プリント処理開始直前のユーザからのプリント指示として、暗号化された画像データの暗号化キー（復号化キー）をプリント処理装置２２へ送信する点である。
なお、第２実施形態のハードウエア上のシステム構成は、第１実施形態と同様であるので、同じく図１を用いて説明し、以下では主に上記第１実施形態と異なる点について説明する。
【００４３】
第２実施形態のプリントサービスシステム１０（図１参照）において、パソコン１２は、画像データを暗号化キーによって暗号化する暗号化手段を有しており、プリント注文がされた画像データを暗号化手段によって暗号化し、その画像の注文情報とともに受注端末１６へ送信する。
また、好ましい形態として、パソコン１２は、注文情報の少なくとも個人情報に係る部分（例えば、ユーザの氏名、住所、電話番号等）についても暗号化して送信する。
暗号化の手法としては、秘密鍵暗号化方式や公開鍵暗号化方式など、公知の手法を用いることができる。また、暗号化キーとして、生体認証を用いてもよい。
なお、プリントサービスシステム１０の発注端末としては、パソコン１２以外にも画像データおよび注文情報を送信でき、画像データや注文情報の暗号化手段を有するものであれば各種の装置を用いることができる。
【００４４】
また、注文受付機１４も、パソコン１２と同様に、画像データを暗号化キーによって暗号化する暗号化手段を有しており、プリント注文がされた画像データを暗号化手段によって暗号化し、暗号化画像データをその画像の注文情報とともに受注端末１６へ送信する。注文情報の一部についても暗号化してもよいのはパソコン１２と同様である。
【００４５】
また、第２実施形態において、プリント処理装置２２は、暗号化画像データの復号化および画像処理等を行う画像処理装置とプリンタとを有している。
暗号化画像データを復号化するには、暗号化キー（復号化キー）が必要である。そこで、プリント処理装置２２は、暗号化画像データおよび注文情報を受信し、プリント作成処理が開始可能となる段階で、ユーザに対してプリント作成処理の最終指示を要求するとともに、暗号化キーを要求する。この要求は、プリント注文時にユーザが指定した発注確認端末（携帯電話１８、デジタルテレビ２０またはパソコン１２）に送信される。
【００４６】
第２実施形態におけるプリント処理方法について、図３を参照して説明する。図３は、第２実施形態のプリント処理フローを示している。
上述の第１実施形態の場合と同様に、プリント注文時には、パソコン１２において、プリント注文する画像が選択され（ステップＳ３１）、各画像に対する注文情報が入力される（ステップＳ３２）。
【００４７】
入力が終了すると（ステップＳ３３）、各画像に対して暗号化処理が行われる（ステップＳ３４）。
上述したように、画像の暗号化処理は、秘密鍵暗号化方式や公開鍵暗号化方式など、公知の手法を用いることができる。暗号化キーとして、生体認証を用いてもよい。また、各画像を単独で暗号化処理することには限定されず、画像を、日時、イベント情報などの所定の情報に基づいてグループに分類して暗号化処理を行っても良い。
続いて、暗号化された画像データと注文情報とが、ユーザ（発注者）側のパソコン１２からプリントサービス業者（受注者）の受付店の受注端末１６へ送信される（ステップＳ３５）。
【００４８】
受付店（受注端末１６）は、ユーザ（発注者）からの暗号化画像および注文情報を受信することでプリント注文を受け付けると（ステップＳ３６）、ユーザに対して注文確認画面を表示し、注文情報に間違いが無いかの確認を促す（ステップＳ３７）。具体的には、受注端末１６は、ユーザがパソコン１２からアクセスしているプリント注文ページを介して、パソコン１２のディスプレイに注文内容を記載した注文確認画面を表示させる。ここでのプリント注文内容の表示は、受注端末１６に送信された情報を再度パソコン１２に送信するのではなく、受注端末１６に送信された情報と対応する、パソコン１２において一時的に保存されている情報を用いて行われる。
【００４９】
パソコン１２は、注文確認を受け付けて注文確認画面を表示する（ステップＳ３８）。ユーザは、注文確認画面に記載された内容を確認し、変更がなければ画面上の注文確認ボタンをクリックするなどにより、注文確認信号を受付店（受注端末１６）へ送信する（ステップＳ３９）。入力された注文内容に変更がある場合には、ユーザによって情報の修正が行われる。すなわち、上記ステップＳ３１またはＳ３２に戻り、以後ステップＳ３９までの各工程が再度実行される。
【００５０】
プリント注文が確定すると、受付店は、暗号化画像データと注文情報とをラボのプリント処理装置２２に送信する（ステップＳ４０）。
ラボでは、プリント処理装置２２が受付店からの暗号化画像データと注文情報とを受け取ると（ステップＳ４１）、その注文に対する処理が開始可能となったとき、またはその見込みが立ったときに、すなわちプリント処理開始直前に、受け付けた画像のプリント処理を実行してよいか否かの最終的な確認をユーザに促す。すなわち、プリント注文受付時に指定された送信先である携帯電話１８、デジタルテレビ２０またはパソコン１２（以下、携帯電話１８等という。）へプリント指示確認を送信する（ステップＳ４２）。
【００５１】
ここで、プリント指示確認のためにラボからユーザへ送信される情報は、注文情報（注文情報も暗号化している場合には、そのうちの暗号化されていない情報）であって、プライバシーレベルが比較的低く、注文の識別に必要な最小限の情報とすればよい。例えば、注文受付時に受注端末１６で発行された注文受付番号、注文年月日、注文合計枚数、配送先の概要（自宅、勤務先の別など）または商品の受け取り店名などの情報を用いるのが好ましい。
【００５２】
ユーザの携帯電話１８等は、プリント指示確認を受け付けると（ステップＳ４３）、その内容および注文に変更が無いかの問い合わせを携帯電話１８等の画面に表示する。
ユーザは、表示されたプリント注文について再度確認し、キャンセルや変更がある場合には、携帯電話１８等から注文情報を再入力し、注文の内容に変更が無く、プリント処理を開始してよい場合には、その旨の指示を入力する。
【００５３】
携帯電話１８等は、注文のキャンセルや変更についての入力があったときは、注文変更の有無の判断（ステップＳ４４）をＮｏ（変更あり）として、変更される注文情報の入力を受け付ける（ステップＳ４５）。一方、プリント処理開始の入力があったときは、注文変更の有無の判断（ステップＳ４４）をＹｅｓ（変更なし）として、プリント指示の信号および変更があったときは変更された内容をラボに送信する。
【００５４】
このとき、プリント注文時に送信してある暗号化画像データの暗号化キー（復号化キー）もラボに送信する（ステップＳ４６）。発注確認端末として携帯電話１８またはデジタルテレビ２０を指定した場合には、暗号化キーは、画像データの暗号化を行ったパソコン１２から携帯電話１８またはデジタルテレビ２０に送信しておき、最終確認時にその暗号化キーをラボへ送信するようにすればよい。あるいは、携帯電話１８またはデジタルテレビ２０からのプリント処理開始の指示に続いて、パソコン１２からラボへ暗号化キーを送信するようにしてもよい。
【００５５】
ラボのプリント処理装置２２は、送信されてきた暗号化キー（復号化キー）を受信し、それを解読し（ステップＳ４７）、解読した暗号化キーを用いてプリントに供する暗号化画像データを復号化する（ステップＳ４８）。そしれ、復号化した画像データに基づいてプリント処理装置２２において画像のプリント処理を実行する（ステップＳ４９）。
プリント処理が行われた画像データは、逐次または所定のタイミングで自動的に消去される。あるいは、オペレータによって適宜削除されるようにしてもよい。
【００５６】
この第２実施形態では、ラボがユーザから暗号化キーを受け取ることによって初めて、ラボでの暗号化画像データの復号化が可能となり、プリント作成処理が可能となるため、ユーザの画像データについてのプライバシーが実際のプリント作成処理開始まで確実に保護される。また、プリント処理後に画像データを削除することにより、画像データが漏洩することを防ぐことができ、プリント処理後のユーザのプライバシーも保護される。
【００５７】
このように、本発明のプリントサービスシステムの一態様によれば、プリント注文する画像データが暗号化されて送信され、その暗号化画像データが、プリント処理の直前にユーザが暗号化キーを送信するまで確実に保護されるので、注文からプリント作成までに第三者に不要に画像を閲覧されることがなく、ユーザにもそのような不安を与えることがない。
また、プリント注文情報を暗号化して送付する場合には、個人情報を保護することができる。
なお、上記の例では、好ましい形態として、画像データのみを暗号化する形態、および画像データと注文情報の両方を暗号化する形態について説明したが、画像データを暗号化せずに注文情報のみを暗号化することも可能である。
【００５８】
次に、本発明のプリントサービスシステム１０に好適に用いられるプリント処理装置の一例を、図４を参照して説明する。
プリント処理装置２２は、暗号化画像データを復号化し、その画像データに必要に応じて所定の画像処理を施して、その画像データに基づいてプリント注文内容に応じたプリントを作成し、作成したプリントを１件の注文ごとにパッキング（梱包）して、プリントパック製品として排出するもので、画像処理装置３４、プリンタ３６およびパッカー３８から構成されている。
【００５９】
画像処理装置３４は、プリント注文された暗号化画像データを、ユーザから送信された暗号化キーによって復号化し、その画像データに画像処理を施して、写真プリント用画像データを生成する。画像処理装置３４で実施する画像処理には、特に限定はなく、画像の拡大／縮小（電子変倍処理）、階調補正、色／濃度補正、彩度補正、シャープネス処理等の各種の画像処理を行うことができる。これらの画像処理は、公知の方法で実施すればよい。
また、画像処理装置３４は、暗号化画像データとともに送られた注文情報から、その注文の料金、配送先等の情報を記録したオーダープリントを作成するためのオーダープリント用データを生成する。
【００６０】
画像処理装置３４は、生成した写真プリント用画像データおよびオーダープリント用データをプリンタ３６に送信する。さらに、画像処理装置３４は、注文１件分の画像データの最後のデータ（プリント用画像データまたはオーダープリント用データ）を供給した後、件の区切りを示すソート情報をプリンタ３６およびパッカー３８へ出力する。
【００６１】
プリンタ３６は、画像処理装置３４からから送信された順に、プリント注文情報に応じたプリントと、各注文の料金、配送先等の情報が記録されたオーダープリントとを作成する。
パッカー３８は、プリンタ３６で作成された仕上がりプリントおよびオーダープリントを１件の注文ごとに仕分けして、１件の注文ごとのプリントをパッキング（梱包）して、プリントパック製品として排出する。パッキングには、透明または半透明の包装材を用い、１件分の注文プリントの最上位または最下位に、オーダープリントの記録面を外側に向けてパッキングする。これにより、パックされたままでオーダープリントの記録文字や記号が読み取れるので、画像を確認することなく各件のプリントを識別でき、かつ、商品の料金や配送先の情報を得られる。
【００６２】
図４のプリント処理装置２２において、プリンタ３６は、いわゆるデジタルフォトプリンタである。すなわち、プリンタ３６は、画像処理装置３４から供給されたプリント用画像データおよびオーダープリント用データに応じて、感光材料（印画紙）Ａを露光して潜像を形成し、所定の湿式現像を施した後、乾燥させて、仕上がりプリントＰとする。
なお、プリンタ３６はこれには限定されず、電子写真方式により画像を記録するものや、インクジェット記録方式によるものなど、画像データに応じて画像を形成することのできる各種の記録方式のものを利用することができる。また、画像記録媒体としては、普通紙や塗工紙、フィルム、各種繊維のシート状物などを、利用する記録方式によって記録可能である限り、特に制限されずに用いることができる。
【００６３】
プリンタ３６には、感光材料Ａを巻回してなる感光材料ロールを収容するマガジン４０が、２個装填可能とされている。感光材料Ａは、マガジン４０から排出されるまでの各処理工程を、搬送ローラ対や搬送ガイド等の通常の搬送手段によって、所定の位置を所定の速度で搬送される。
感光材料Ａは、マガジン４０から引き出されて、カッタ４２によってプリントサイズに応じて切断され、バックプリンタ４４によってバックプリントを記録された後、所定の露光位置に供給される。
【００６４】
画像処理装置３４から供給された画像データ（プリント用画像データおよびオーダープリント用画像データ）は、制御部４８に供給される。
制御部４８は、供給された画像データに応じて露光ユニット４６を制御する。
露光ユニット４６は、画像データに応じて変調した光ビームＬ（記録光）を主走査方向に偏向して、前記露光位置に入射する。一方、感光材料Ａは、前記露光位置に位置されつつ、主走査方向と直交する副走査方向に走査搬送される。従って、感光材料Ａは、画像に応じて変調された光ビームＬによって二次元的に走査露光され、潜像を記録される。潜像を記録された感光材料Ａは、順次、現像部５０に供給される。
【００６５】
潜像を形成された感光材料Ａは、現像部５０において、各処理槽に搬送されて、現像、漂白／定着、水洗の各処理を順次施され、次いで、乾燥部５２において、ヒータ等によって乾燥され、搬送部５４を経て、仕上がりプリントＰとして、パッカー３８（プリント集積部５８）に排出される。
なお、パッキングされない大きなサイズのプリントは、搬送部５４には搬送されず、乾燥部５２から上方の大サイズプリント排出部５６に排出される。搬送路の切り替えは、切り替えガイドを用いる方法等の公知の方法で行えばよい。
【００６６】
パッカー３８は、プリンタ３６によって作成されたプリントＰを、プリントの注文情報に応じて１件の注文毎にプリントを集積してパッキングするもので、プリント集積部５８と、包装用シート供給部６０と、パッキング部（製品投入・シール部）６２と、製品収容部６４とを有している。
【００６７】
包装用シートＳは、筒状の透明な長尺シートであり、ロール状に巻回された包装材ロール６８として、シート供給部６０に装填されている。包装材ロール６８から巻き出された包装用シートＳは、ガイドロール７０および図示しない搬送ローラ対等によって、所定の経路を搬送される。
【００６８】
パッキング部（製品投入・シール部）６２は、包装用シートＳを所定長さに切断するカッタ７２と、切断された包装用シートＳの図中下端部を熱溶着するヒートシーラ７４と、切断された包装用シートＳの図中上端部を開口させる開口装置７６とを有している。
プリントＰを包装するのに適切な長さだけ引き出された包装用シートＳは、カッタ７２によって切断される。また、切断された包装用シートＳの搬送方向先端部すなわち図中下端部が、ヒートシーラ７４によってヒートシール（熱溶着）されて、包装袋の底部が形成される。シール後の包装袋の底部は、ニップローラ対である搬送ローラ対７８や、図示しない保持手段（例えば、ニップローラ、把持具など）によって支持される。
【００６９】
開口装置７６は、切断された包装用シートＳの図中上端部、すなわち、筒状の包装用シートＳの開口端部を開口させるもので、筒状の包装用シートＳの開口端部の対向する位置を保持して相対的に離間するように移動する吸着具や把持具などが用いられる。
包装用シートＳは、下端部をシールされた状態で、下部を搬送ローラ対７８によって支持され、かつ、開口装置７６によって上端部を開口されて保持された状態で、製品（仕上がりプリントＰ）の投入を待機する。図４は、この待機時の様子を示している。
【００７０】
プリントＰの集積部５８は、その先端（プリントＰの搬出方向の先端）を、開口装置７６によって開口された包装用シートＳの開口部に向けて、下方に傾斜する集積ガイドを備えている。この集積ガイドの先端部には、開閉可能なストッパ６６が設けられている。ストッパ６６は、通常の状態では集積ガイドの先端を閉塞している。したがって、搬送部５４から搬出されたプリントＰは、一旦、集積部５８に集積される。
【００７１】
パッカー３８では、画像処理装置３４から送られたソート情報によって、注文１件分のプリントＰ（オーダープリントを含む）が集積部５８に集積されたことを検知すると、ストッパ６６を開放して、集積部５８のプリントＰをパッキング部６２へ投入し、次のプリントＰが集積部５８に排出される前にストッパ６６を閉塞する。
なお、１件分のプリントＰを集積し終えたことの検出は、画像処理装置３４からのプリント注文情報と、プリンタ３６またはパッカー３８の適部に配置されたプリントＰの検出器および枚数カウンタとから行ってもよいし、オーダープリントの検出手段によって、写真プリントの先頭または末尾に作成され搬送されるオーダープリントを検出することによって行ってもよい。
【００７２】
ストッパ６６の開放によって集積ガイドに沿って滑り落とされたプリントＰは、パッキング部６２において開口状態で待機していた包装用シートＳに収容される。
１件のプリントＰが包装用シートＳに収容されると、開口装置７６が包装用シートＳを解放し、次いで、搬送ローラ対７８および図示しない搬送手段によって、プリントＰが入った包装用シートＳを図中下方へ搬送する。
包装用シートＳの口部（上端部）がヒートシーラ７４の位置にくると、包装用シートＳの搬送を一旦停止し、ヒートシーラ７４によって口部のヒートシールを行う。これにより、１件のプリントＳを収納する１個のプリントパック８０が完成する。
【００７３】
プリントパック８０は、搬送ローラ対７８によって搬送され、ガイド８２に案内されて、製品収容部６４に排出される。
製品収容部６４は、ベルトコンベヤ等からなる搬送部８４を有しており、製品収容部６４に排出された順に、プリントパック８０を、製品取出口へ搬送する。
【００７４】
プリントパック８０は、オーダープリントに記録された情報に従って、注文情報として入力されたユーザから指定された住所へ発送されるか、ユーザが受け取り左記として指定した店舗へ発送される。なお、オーダープリントへの情報の記録は、商品の流通の形態に応じて、文字を可視的に記録する形態のほか、バーコード等を可視的にまたは不可視的に記録する形態としてもよい。
【００７５】
次に、本願発明のプリント処理方法を実施する本発明のプリントサービスシステムの第３実施形態について、図５を参照して説明する。図５は、第３実施形態のハードウエア構成の概略を説明するとともにプリント処理の流れを説明するブロック図である。
【００７６】
上記第１および第２実施形態では、ユーザがプリント注文した画像は、受注端末１６に送信されてその内部メモリ等に一時的に保管され、注文が確定されると受注端末１６からプリント処理装置２２に転送されて、最終指示があるまでプリント処理装置２２の内部メモリ等に保管されていた。
これに対し、第３実施形態では、プリント注文時には、画像はラボ（プリントサービス業者）へは送信されず、ユーザがプリント注文した画像は外部サーバに送信されて保管される。そして、ラボは、ユーザから最終のプリント指示を受けた後に、画像を外部サーバからダウンロードしてプリント処理を実行する。これは、受注端末１６のメモリを外部に配置した形態とも捉えることができる。
【００７７】
図５に示すように、プリントサービスシステム９０は、発注端末９２と、受注端末９４と、発注確認端末９６と、プリント処理装置９８と、サーバ１００とを備えている。これらの各装置は、図示しない通信ネットワーク回線によって有線または無線で通信可能とされている。
発注端末９２は上述した第１および第２実施形態におけるパソコン１２または注文受付機１４と、受注端末９４は受注端末１６と、発注確認端末９６は携帯電話１８またはデジタルテレビ２０と、プリント処理装置９８はプリント処理装置２２と、それぞれ同様のものであるので、ここではその詳細な説明を省略する。
【００７８】
なお、ユーザに所属する発注端末９２および発注確認端末９６は、同一のもの（例えば同一のパソコン）であってもよい。また、ラボ（プリントサービス業者）に所属する受注端末９４およびプリント処理装置９８は、一体的に構成されていてもよいし、別体で構成され通信回線で接続されていてもよい。また、サーバ１００は、実際の配置場所は、ラボ（プリントサービス業者）内であってもよく、特に制限されない。
【００７９】
プリントサービスシステム９０におけるプリント処理方法について説明する。
まず、発注端末９２において、ユーザによってプリント注文する画像が選択される。発注端末９２は、選択された画像データを暗号化し、暗号化画像データをサーバ１００へ転送する（ステップＳ５１）。
また、選択された各画像に対する注文情報は、発注端末９２から受注端末９４へ送信される（ステップＳ５２）。
【００８０】
注文情報を受信した受注端末９４は、発注端末９２に対して注文確認を送信する（ステップＳ５３）。
注文の変更がある場合は、発注端末９２においてその変更内容が入力され、変更が無ければ注文が決定される。発注端末９２は、決定された注文情報を受注端末９４へ再度送信する（ステップＳ５４）。
【００８１】
ラボにおいて、プリント処理装置９８によるプリント作成処理が開始可能となったら、受注端末９４またはプリント処理装置９８は、発注端末９２または発注確認端末９６（パソコンまたは携帯端末等）に、プリント指示を要求する（ステップＳ５５）。
これに対し、ユーザの発注端末９２または発注確認端末９６は、ユーザの操作により、ラボの受注端末９４またはプリント処理装置９８に対してプリント指示を送信する。この際に、発注端末９２または発注確認端末９６は、暗号化画像が保管されているサーバ１００のアドレスと、その暗号化キーまたは復号化キーをラボ（受注端末９４またはプリント処理装置９８）に送信する（ステップＳ５６）。
【００８２】
ラボでは、受注端末９４またはプリント処理装置９８が、受け取ったアドレスを元にサーバ１００から暗号化画像データをダウンロードし（ステップＳ５７）、ユーザから送信された暗号化／複合化キーによって暗号化画像データを復号化する（ステップＳ５８）。
最後に、プリント処理装置９８において、復号化された画像データに基づき、注文情報に従って、プリント処理が実行される（ステップＳ５９）。
プリント処理が行われた画像データは、逐次または所定のタイミングで自動的に消去される。あるいは、オペレータによって適宜削除されるようにしてもよい。
なお、第３実施形態においても、プリント注文情報を暗号化してもよい。
【００８３】
この第３実施形態の場合にも、上記各実施形態と同様に、プリント直前での注文キャンセルや変更に対応可能である。また、プリント注文を発注した後でも、ユーザが暗号化キーを送らなければ実際のプリント作成処理が実行されないため、ユーザのペースでプリント実行指示を出すことが可能である。
また、ラボがユーザから暗号化キーを受け取ることによって初めて、ラボでの暗号化画像データの復号化が可能となり、プリント作成処理が可能となるため、ユーザの画像データについてのプライバシーが実際のプリント作成処理開始まで確実に保護され、ユーザもそれを実感することができる。
【００８４】
また、上述の第１および第２実施形態のように、プリント注文者（ユーザ）のパソコン等からラボへ直接画像を転送する形態では、プリント注文者が撮影した画像ではなく、例えば注文者の友人が撮影した画像のプリントを注文したい場合には、注文者のパソコン等に友人が撮影した画像を一旦ダウンロードする必要がある。
しかし、この第３実施形態では、画像の持ち主が画像データをサーバ１００にアップロードしておき、ラボがプリント処理の直前に画像をダウンロードするので、注文したい画像が大量にある場合も、注文者が画像を自身のパソコンに転送する時間、およびラボに送信する時間を必要としない。したがって、本発明の注文キャンセルをプリント処理直前まで可能とするだけでなく、注文時間を短縮する効果も得られる。
【００８５】
なお、画像データをサーバ１００へ保管する本実施形態は、画像データを暗号化しない形態にも適用することができる。その場合には、ステップＳ５１において、発注確認端末９６からプリント処理装置９８へプリント指示のみを送り、プリント指示を受けたラボは、ステップＳ５８の復号化を行わず、ステップＳ５７でダウンロードした画像に基づいて、ステップＳ５９でプリント処理装置９８によるプリント処理を開始すればよい。
【００８６】
以上、本発明に係るプリントサービスシステムおよびプリント処理方法について詳細に説明したが、本発明は上記種々の実施例に限定されず、本発明の主旨を逸脱しない範囲において、種々の改良や変更をしてもよいのはもちろんである。
【図面の簡単な説明】
【００８７】
【図１】本発明のプリント処理方法を実施する本発明のプリントサービスシステムの一実施形態の構成概念図である。
【図２】本発明の第１実施形態のプリント処理フロー図である。
【図３】本発明の第２実施形態のプリント処理フロー図である。
【図４】プリント処理装置の概略構成を示す断面図である。
【図５】本発明の第３実施形態の概略構成およびプリント処理フローを示すブロック図である。
【符号の説明】
【００８８】
１０、９０  プリントサービスシステム
１２  パソコン
１４  注文受付機
１６、９４  受注端末
１８  携帯電話
２０  デジタルテレビ
２２、９８  プリント処理装置
２４  通信回線
３４  画像処理装置
３６  プリンタ
３８  パッカー
４０  マガジン
４２  カッタ
４４  バックプリンタ
４６  露光ユニット
４８  制御部
５０  現像部
５２  乾燥部
５４  搬送部
５６  大サイズプリント排出部
５８  プリント集積部
６０  包装用シート供給部
６２  パッキング部（製品投入・シール部）
６４  製品収容部
６６  ストッパ
６８  包装材ロール
７０  ガイドロール
７２  カッタ
７４  ヒートシーラ
７６  開口装置
７８  搬送ローラ対
８０  プリントパック
８２  ガイド
８４  搬送部
９２  発注端末
９６  発注確認端末
１００  サーバ
【図１】
2007293468.tif 000003
【図２】
2007293468.tif 000004
【図３】
2007293468.tif 000005
【図４】
2007293468.tif 000006
【図５】
2007293468.tif 000007